(57)【要約】【課題】  植物系天然素材で形成してある化粧板を支持板の表面に固定してある化粧パネルを組み付けながら、部屋内側の外観を損ない難い組み立て式部屋を提供する。【解決手段】  支持板１の表面に化粧板２を固定し、かつ、支持板の裏面側外周部に金属枠体３を固定してある化粧パネルＡを、化粧板側を部屋内側に向けて組み付けてある組み立て式部屋であって、支持板を無機質材で形成し、化粧板を植物系天然素材で形成してある化粧パネルを組み付けてある。【選択図】        図４
2005061147.tif 000002
【特許請求の範囲】
【請求項１】
支持板の表面に化粧板を固定し、かつ、前記支持板の裏面側外周部に金属枠体を固定してある化粧パネルを、化粧板側を部屋内側に向けて組み付けてある組み立て式部屋であって、
前記支持板を無機質材で形成し、前記化粧板を植物系天然素材で形成してある化粧パネルを組み付けてある組み立て式部屋。
【請求項２】
支持板の表面に化粧板を固定し、かつ、前記支持板の裏面側外周部に金属枠体を固定してある化粧パネルを、化粧板側を部屋内側に向けて組み付けてある組み立て式部屋であって、
前記支持板を無機質材で形成し、前記化粧板を植物系天然素材で形成してある化粧パネルどうしを突き合わせて組み付けてあり、
前記化粧パネルどうしの突合せ部に臨む端面の夫々に、化粧板側から凹入する段部を形成し、その突合せ部に臨む両段部に亘って、コーキング材を挟んで、その突合せ部を部屋内側から覆う覆い用帯板材を嵌め込んである組み立て式部屋。
【請求項３】
前記支持板を、珪酸カルシウムを主体とする無機質材で形成してある請求項１又は２記載の組み立て式部屋。
【請求項４】
小幅の帯板材の複数を、それらの幅方向端部をさね継ぎで互いに接合して、前記化粧板を形成してある請求項１〜３のいずれか１項記載の組み立て式部屋。
【請求項５】
前記化粧板の複数を帯板材長手方向に並設するとともに、帯板材長手方向で隣り合う化粧板どうしの突合せ部に沿って、その突合せ部を部屋内側から覆う覆い用帯板材を設けてある請求項４記載の組み立て式部屋。
【請求項６】
前記化粧板の複数を、帯板材長手方向を上下方向に沿わせて並設するとともに、少なくとも最下部の化粧板に防水加工を施してある請求項５記載の組み立て式部屋。
【発明の詳細な説明】
【技術分野】
【０００１】
本発明は、支持板の表面に化粧板を固定し、かつ、前記支持板の裏面側外周部に金属枠体を固定してある化粧パネルを、化粧板側を部屋内側に向けて組み付けてある組み立て式部屋に関する。
【背景技術】
【０００２】
上記組み立て式部屋では、従来、木質系支持板の表面に化粧板を固定してある化粧パネル（例えば、特許文献１参照) を、化粧板側を部屋内側に向けて組み付けてある。
【０００３】
【特許文献１】特開２００１−２５３０１４号公報
【発明の開示】
【発明が解決しようとする課題】
【０００４】
このため、木質系支持板の厚み方向での吸湿量や放湿量の違いによって化粧パネルに反りなどの変形が生じ易い欠点があるとともに、この木質系支持板に天然木等の植物系天然素材で形成してある化粧板を固定してある化粧パネルを組み付けてある場合は、木質系支持板と化粧板の夫々が、厚み方向での吸湿量や放湿量の違いによって反りなどの変形し易いことに加えて、木質系支持板と化粧板との伸縮率の違いに起因して、化粧パネルが複雑に変形し、部屋内側の外観を損ない易い欠点がある。
本発明は上記実情に鑑みてなされたものであって、植物系天然素材で形成してある化粧板を支持板の表面に固定してある化粧パネルを組み付けながら、部屋内側の外観を損ない難い組み立て式部屋を提供することを目的とする。
【課題を解決するための手段】
【０００５】
本発明の第１特徴構成は、支持板の表面に化粧板を固定し、かつ、前記支持板の裏面側外周部に金属枠体を固定してある化粧パネルを、化粧板側を部屋内側に向けて組み付けてある組み立て式部屋であって、前記支持板を無機質材で形成し、前記化粧板を植物系天然素材で形成してある化粧パネルを組み付けてある点にある。
【０００６】
〔作用及び効果〕
厚み方向での吸湿量や放湿量の違いによる反りなどの変形が生じにくい無機質材で形成してある支持板の表面に、植物系天然素材で形成してある化粧板を固定してある化粧パネルを組み付けてあるので、厚み方向での吸湿量や放湿量の違いによる化粧板の反りなどの変形を、変形が生じにくい支持板で抑制して、化粧パネルの複雑な変形を防止することができ、植物系天然素材で形成してある化粧板を支持板の表面に固定してある化粧パネルを組み付けながら、部屋内側の外観を損ない難い。
【０００７】
本発明の第２特徴構成は、支持板の表面に化粧板を固定し、かつ、前記支持板の裏面側外周部に金属枠体を固定してある化粧パネルを、化粧板側を部屋内側に向けて組み付けてある組み立て式部屋であって、前記支持板を無機質材で形成し、前記化粧板を植物系天然素材で形成してある化粧パネルどうしを突き合わせて組み付けてあり、前記化粧パネルどうしの突合せ部に臨む端面の夫々に、化粧板側から凹入する段部を形成し、その突合せ部に臨む両段部に亘って、コーキング材を挟んで、その突合せ部を部屋内側から覆う覆い用帯板材を嵌め込んである点にある。
【０００８】
〔作用及び効果〕
厚み方向での吸湿量や放湿量の違いによる反りなどの変形が生じにくい無機質材で形成してある支持板の表面に、植物系天然素材で形成してある化粧板を固定してある化粧パネルを組み付けてあるので、厚み方向での吸湿量や放湿量の違いによる化粧板の反りなどの変形を、変形が生じにくい支持板で抑制して、化粧パネルの複雑な変形を防止することができ、植物系天然素材で形成してある化粧板を支持板の表面に固定してある化粧パネルを組み付けながら、部屋内側の外観を損ない難い。
また、複数の化粧パネルどうしを突き合わせて、化粧パネルどうしの突合せ部に臨む端面の夫々に、化粧板側から凹入する段部を形成して、その突合せ部に臨む両段部に亘って、コーキング材を挟んで、その突合せ部を部屋内側から覆う覆い用帯板材を嵌め込んであるので、化粧パネルどうしの突合せ部に隙間ができていても、その隙間を通したすきま風のような空気の移動を阻止できるとともに、突合せ部の美観を確保し易い。
【０００９】
本発明の第３特徴構成は、前記支持板を、珪酸カルシウムを主体とする無機質材で形成してある点にある。
【００１０】
〔作用及び効果〕
支持板を石膏板や水酸化アルミニウム板などの無機質材で形成してある化粧パネルに比べて、軽量化した化粧パネルを組み付けることができ、運搬作業や組み立て作業の簡略化を図り易い。
【００１１】
本発明の第４特徴構成は、小幅の帯板材の複数を、それらの幅方向端部をさね継ぎで互いに接合して、前記化粧板を形成してある点にある。
【００１２】
〔作用及び効果〕
帯板材の幅方向での伸縮変形をさね継ぎ部分で吸収することができ、化粧板を一枚板で構成してある場合に比べて、化粧板の変形が一層生じにくい。
【００１３】
本発明の第５特徴構成は、前記化粧板の複数を帯板材長手方向に並設するとともに、帯板材長手方向で隣り合う化粧板どうしの突合せ部に沿って、その突合せ部を部屋内側から覆う覆い用帯板材を設けてある点にある。
【００１４】
〔作用及び効果〕
小幅の帯板材の複数をそれらの幅方向端部をさね継ぎで互いに接合して化粧板を形成してあるので、化粧板の帯板材幅方向に沿う曲げ強度や引っ張り強度が、一枚板の化粧板に比べて弱くなり易いが、化粧板の複数を帯板材長手方向に並設するとともに、帯板材長手方向で隣り合う化粧板どうしの突合せ部に沿って、その突合せ部を部屋内側から覆う覆い用帯板材を設けてあるので、化粧板の帯板材幅方向に沿う曲げ強度や引っ張り強度を覆い用帯板材で補強して、組み立て式部屋の強度を確保し易い。
【００１５】
本発明の第６特徴構成は、前記化粧板の複数を、帯板材長手方向を上下方向に沿わせて並設するとともに、少なくとも最下部の化粧板に防水加工を施してある点にある。
【００１６】
〔作用及び効果〕
少なくとも最下部の化粧板が床側からの湿気に曝されにくいと共に、汚れが付着しても拭き取り易く、洗面所やトイレ，炊事場などの組み立て式部屋として好適に使用できる。
【発明を実施するための最良の形態】
【００１７】
以下に本発明の実施の形態を図面に基づいて説明する。
図１〜図３は、支持板１の表面に化粧板２を固定し、かつ、支持板１の裏面側外周部に組み付け用の矩形金属枠体３（３ａ，３ｂ，３ｃ) を固定してある化粧パネルＡを、化粧板側を部屋内側に向けて組み付けてある本発明によるトイレ用の組み立て式部屋を示し、床パネル４と壁パネル５と天井パネル６とを箱形に組み立てて、その内側に便器７を取り付けてある。
【００１８】
前記床パネル４は、根太８に固定してある既設の床板９に載置支持してあり、壁パネル５は、部屋奥行き方向で二枚の化粧パネルＡ１どうしを突き合わせて組み付けてある左右の側壁パネル５ａと、窓枠１０の取り付け用矩形孔１１を化粧パネルＡ２に設けてある奥壁パネル５ｂと、入り口扉取り付け用の桧材製の門型の建具枠１２を化粧パネルＡ３の下部に設けてある入り口壁パネル５ｃとを既設部屋の壁面１３に近接させて部屋内側から一体に連結して構成し、天井パネル６には、天板１４で開閉自在な点検用開口１５を囲む矩形の枠部材１６を設けてある。
【００１９】
前記化粧パネルＡは、図４に示すように、ガラス繊維やパルプ繊維を混入した珪酸カルシウムを主体とする無機質材で形成してある一枚板の不燃性の支持板１の表面に、桧材（植物系天然素材の一例) で形成してある化粧板２を接着固定するとともに、支持板１の裏面側外周部に沿って、断面コの字形のアルミ合金製の押し出し材３ａ，３ｂ，３ｃで構成した金属枠体３を接着固定し、金属枠体３の内側に補強用の木製角材１７ａ，１７ｂを横方向に接着固定して構成してある。
【００２０】
前記化粧板２は、図５に示すように、小幅の帯板材１８の複数を、外面側に一連の細溝１９が形成されるように、それらの幅方向端部をさね継ぎで互いに接合して形成してあり、側壁パネル５ａと奥壁パネル５ｂとを構成する化粧パネルＡ１，Ａ２は、図４に示すように、複数（本実施形態では二枚) の化粧板２ａ，２ｂを帯板材長手方向を上下方向に沿わせて間隔を隔てて並設するとともに、下側の化粧板２ｂには防水加工を施してある。
【００２１】
前記側壁パネル５ａを構成している二枚の化粧パネルＡ１どうしは、図６に示すように、一方の化粧パネルＡ１の縦押し出し材３ｃに固定した側面視で鈎形の係止金具２０を、他方の化粧パネルＡ１の縦押し出し材３ｃに形成した貫通孔２１を通して押し出し材内側に挿通して下向きに押し込むことにより、互いに係止固定してあり、図５に示すように、化粧パネルＡ１どうしの突合せ部に臨む化粧板２の端面の夫々に、化粧板側から凹入する段部２２を形成し、その突合せ部を部屋内側から覆う桧材製の覆い用帯板材２３を、コーキング材２４を挟んで、その突合せ部に臨む両段部２２に亘って嵌め込んで接着固定してある。
【００２２】
前記側壁パネル５ａと奥壁パネル５ｂは、図７に示すように、床パネル４に固定してある嵌合用レール２５に下部横押し出し材３ｂを嵌合して床パネル４に立設するとともに、化粧板２ｂと床パネル４との隙間に下部幅木２６を嵌合して接着固定してあり、天井パネル６は、その天井パネル６に固定してある嵌合用レール２５に、側壁パネル５ａと奥壁パネル５ｂと入り口壁パネル５ｃの上部横押し出し材３ａを嵌合するとともに、化粧板２と天井パネル６との隙間に上部幅木２７を嵌合して接着固定してある。
【００２３】
前記側壁パネル５ａと奥壁パネル５ｂには、図８に示すように、帯板材長手方向で隣り合う化粧板２ａ，２ｂどうしの突合せ部に沿って、その突合せ部を部屋内側から覆う覆い用帯板材（桧材製) ２８を設けある。
【００２４】
前記覆い用帯板材２８は、隣り合う化粧板２ａ，２ｂの上面に重なる左右の重なり部２９と凹溝部３０とを一連に備えた板材３１を、化粧板２ａ，２ｂどうしの突合せ部に嵌め込んで、支持板裏面側に接着固定してある角材１７ａに多数のビス３２で固定すると共に、それらのビス３２が隠れるように、凹溝部３０に帯板３３を接着固定して構成してあり、側壁パネル５ａの覆い用帯板材２８は、図９，図１０に示すように、隣り合う化粧パネルＡ１，Ａ１に亘って一連に設けてある。
【００２５】
〔その他の実施形態〕
１．本発明による組み立て式部屋は、支持板の表面に全面に亘って化粧板を固定してある化粧パネルを組み付けてあっても良い。
２．本発明による組み立て式部屋は、ガラス繊維やパルプ繊維を混入してある石膏材や火山性ガラス材，金属，セラミックなどの無機質材で支持板を形成してある化粧パネルを組み付けてあっても良い。
３．本発明による組み立て式部屋は、桧や杉などの木材の他、竹や蘆などの植物系天然素材で化粧板を形成してある化粧パネルを組み付けてあっても良い。
４．本発明による組み立て式部屋は、一枚板の化粧板を固定してある化粧パネルを組み付けてあっても良い。
５．本発明による組み立て式部屋は、化粧パネルの全部に防水処理を施してある化粧パネルを組み付けてあっても良い。
６．本発明による組み立て式部屋は、化粧パネルどうしの突合せ部に臨む端面の夫々に、化粧板側から支持板側に入り込んで凹入する段部を形成し、その突合せ部に臨む両段部に亘って、コーキング材を挟んで、覆い用帯板材を嵌め込んであっても良い。
【図面の簡単な説明】
【００２６】
【図１】組み立て式部屋の斜視図
【図２】組み立て式部屋の内部を示す斜視図
【図３】組み立て式部屋の分解斜視図
【図４】化粧パネルの斜視図
【図５】要部の横断面図
【図６】要部の斜視図（イ) と側面図（ロ)
【図７】要部の縦断面図
【図８】要部の縦断面図
【図９】要部の縦断面図
【図１０】要部の横断面図
【符号の説明】
【００２７】
１    支持板
２    化粧板
３    金属枠体
１８  小幅の帯板材
２２  段部
２３  覆い用帯板材
２４  コーキング材
２８  覆い用帯板材
Ａ    化粧パネル
【図１】
2005061147.tif 000003
【図２】
2005061147.tif 000004
【図３】
2005061147.tif 000005
【図４】
2005061147.tif 000006
【図５】
2005061147.tif 000007
【図６】
2005061147.tif 000008
【図７】
2005061147.tif 000009
【図８】
2005061147.tif 000010
【図９】
2005061147.tif 000011
【図１０】
2005061147.tif 000012